(57)【要約】【課題】  無線通信システム及び関連した通信装置において、多重コンポーネント・キャリアで多重リンクを設立する方法を提供する。【解決手段】  無線通信システムのモバイル機器のための多重コンポーネント・キャリアで多重リンクを設立する方法であり、該方法は、第１無線リソース制御手順によって第１コンポーネント・キャリアに対応する第１リンクを設立するステップ及び該第１リンクにおいて受信された第１ＲＲＣメッセージに従って、第２ＲＲＣ手順によって少なくとも１つのコンポーネント・キャリアに対応する少なくとも１つのリンクを設立するステップを含む。【選択図】図２
2010220214.tif 000002
【特許請求の範囲】
【請求項１】
無線通信システムのモバイル装置のための多重コンポーネント・キャリアで多重リンクを設立する方法であり：
第１ＲＲＣ手順によって第１コンポーネント・キャリアに対応する第１リンクを設立するステップ；及び
第１リンクにおいて受信された第１ＲＲＣメッセージに従って、第２ＲＲＣ手順によって少なくとも１つのコンポーネント・キャリアに対応する少なくとも１つのリンクを設立するステップ；
を特徴とする方法。
【請求項２】
前記第２ＲＲＣ手順によって設立されたリンクの同期化のために、少なくともランダム・アクセス手順を実施するステップを含む、請求項１に記載された方法。
【請求項３】
前記第２ＲＲＣ手順によって設立されたリンクが、前記第１リンクが接続されている第１セルとは異なる少なくとも１つのセルに接続されている場合、該第２ＲＲＣ手順によって設立されたリンクの同期化のために、少なくとも前記ランダム・アクセス手順を実施する、ことを特徴とする、請求項２に記載された方法。
【請求項４】
同期化が必要であることを、受信された第１ＲＲＣメッセージが示す場合、前記第２ＲＲＣ手順によって設立されたリンクの同期化のために、少なくとも前記ランダム・アクセス手順を実施する、ことを特徴とする、請求項２に記載された方法。
【請求項５】
アップリンク・タイミング情報を除いた前記第１ＲＲＣメッセージが受信された場合、前記第２ＲＲＣ手順によって設立されるリンクの同期化のために少なくとも前記ランダム・アクセス手順を実施する、ことを特徴とする、請求項２に記載された方法。
【請求項６】
前記第２ＲＲＣ手順によって設立されるリンクの各々が、ＰＤＣＣＨ受信のためのＣ−ＲＮＴＩで再設定される、ことを特徴とする、請求項１に記載された方法。
【請求項７】
前記第１コンポーネント・キャリア及び前記第２ＲＲＣ手順によって設立されたコンポーネント・キャリアが、対応するリンクが異なったセルに接続している場合、同一のコンポーネント・キャリア周波数帯域を有する、ことを特徴とする、請求項１に記載された方法。
【請求項８】
無線通信システムにおいて多重コンポーネント・キャリアで多重リンクを設立するための通信装置であり：
第１ＲＲＣ手順によって第１コンポーネント・キャリアに対応する第１リンクを設立する手段；及び
該第１リンクにおいて受信された第１ＲＲＣメッセージに従って、第２ＲＲＣ手順によって少なくとも１つのコンポーネント・キャリアに対応する少なくとも１つのリンクを設立する手段；
を特徴とする通信装置。
【請求項９】
前記第２ＲＲＣ手順によって設立されたリンクの同期化のために、少なくともランダム・アクセス手順を実施する手段、をさらに含む、請求項８に記載された通信装置。
【請求項１０】
前記第２ＲＲＣ手順によって設立されたリンクが、前記第１リンクが接続されている第１セルとは異なる少なくとも１つのセルに接続されている場合、該第２ＲＲＣ手順によって設立されたリンクの同期化のために少なくとも前記ランダム・アクセス手順を実施するための手段、を特徴とする、請求項９に記載された通信装置。
【請求項１１】
同期化が必要であることを、受信された前記第１ＲＲＣメッセージが示す場合、前記第２ＲＲＣ手順によって設立されたリンクの同期化のために、少なくとも前記ランダム・アクセス手順を実施する手段、を特徴とする、請求項９に記載された通信装置。
【請求項１２】
アップリンク・タイミング情報を除いた前記第１ＲＲＣメッセージが受信された場合、前記第２ＲＲＣ手順によって設立されたリンクの同期化のために、少なくとも前記ランダム・アクセス手順を実施するための手段、を特徴とする、請求項９に記載された通信装置。
【請求項１３】
前記第２ＲＲＣ手順によって設立されたリンクの各々が、ＰＤＣＣＨ受信のためにＣ−ＲＮＴＩで設定されている、ことを特徴とする、請求項８に記載された通信装置。
【請求項１４】
前記第１コンポーネント・キャリアのコンポーネント・キャリア及び前記第２ＲＲＣ手順によって設立されたコンポーネント・キャリアが、対応するリンクが異なったセルに接続している場合、同一のコンポーネント・キャリア周波数帯域を有する、ことを特徴とする、請求項８に記載された通信装置。
【請求項１５】
プロセス装置で実行される場合、請求項１乃至７のいずれかに記載された方法で終わる指示を含む、コンピュータ可読の記録媒体。
【請求項１６】
ＲＲＣ手順によって、複数のコンポーネント・キャリアに対応する複数のリンクを設立するステップ；
を特徴とする、多重コンポーネント・キャリアで多重リンクを設立するための方法。
【請求項１７】
前記複数のリンクの少なくとも１つのリンクの同期化のために、ランダム・アクセス手順を実施するステップ、をさらに含む、請求項１６に記載された方法。
【請求項１８】
同期化が必要であることを示す前記ＲＲＣ手順のＲＲＣメッセージが受信された場合、前記複数のリンクの少なくとも１つのリンクの同期化のために、前記ランダム・アクセス手順を実施する、ことを特徴とする、請求項１７に記載された方法。
【請求項１９】
アップリンク・タイミング情報を除いた、前記ＲＲＣ手順のＲＲＣメッセージが受信された場合、前記複数のリンクの少なくとも１つのリンクの同期化のために、前記ランダム・アクセス手順を実施する、ことを特徴とする、請求項１７に記載された方法。
【請求項２０】
前記ＲＲＣ手順によって設立されたリンクの各々が、ＰＤＣＣＨ受信のためにＣ−ＲＮＴＩで設定されている、ことを特徴とする、請求項１６に記載された方法。
【請求項２１】
前記複数のコンポーネント・キャリアが、対応するリンクが異なるセルに接続している場合、同一のコンポーネント・周波数帯域を有する、ことを特徴とする、請求項１６に記載された方法。
【請求項２２】
通信システムにおいて多重コンポーネント・キャリアで多重リンクを設立するための通信装置であり：
ＲＲＣ手順によって、複数のコンポーネント・キャリアに対応する複数のリンクを設立するための手段；
を特徴とする通信装置。
【請求項２３】
複数のリンクの少なくとも１つのリンクの同期化のために、ランダム・アクセス手順を実施するための手段、さらに含む、請求項２２に記載された通信装置。
【請求項２４】
同期化が必要であることを示す、前記ＲＲＣ手順のＲＲＣメッセージが受信された場合、前記複数のリンクの少なくとも１つのリンクの同期化のために、前記ランダム・アクセス手順を実施する、ことを特徴とする、請求項２３に記載された方法。
【請求項２５】
アップリンク・タイミング情報を除いた、前記ＲＲＣ手順のＲＲＣメッセージが受信された場合、前記複数のリンクの少なくとも１つのリンクの同期化のために、前記ランダム・アクセス手順を実施する、ことを特徴とする、請求項２３に記載された方法。
【請求項２６】
前記ＲＲＣ手順によって設立されたリンクの各々が、ＰＤＣＣＨ受信のためにＣ−ＲＮＴＩで設定されている、ことを特徴とする請求項２３に記載された方法。
【請求項２７】
前記複数のコンポーネント・キャリアが、対応するリンクが異なるセルに接続している場合、同一のコンポーネント・周波数帯域を有する、ことを特徴とする、請求項２３に記載された方法。
【請求項２８】
プロセス装置で実行された場合、請求項１６乃至２１のいずれかに記載された方法で終わる指示を含む、コンピュータ可読の記録媒体。
【発明の詳細な説明】
【技術分野】
【０００１】
本発明は、無線通信システム及び関連する通信装置において、多重コンポーネント・キャリアで多重リンクを設立する方法に関する。
【背景技術】
【０００２】
３Ｇ携帯電話通信システムに設立された高度な高速無線通信システムである長期的発展型無線通信システム（ＬＴＥシステム）は、パケット交換による送信のみをサポートし、そのシステム構造が単純になるように、１つの単一通信サイトにおいて媒体アクセス制御（ＭＡＣ）層及び無線リンク制御層の両方を導入する傾向がある。
【０００３】
より高いピーク・データ転送速度でデータを伝送するなどの高度な高速無線通信システムに向けて、ＬＴＥ−Ａｄｖａｎｃｅｄは、ＬＴＥシステムの拡大型として第３世代移動体通信システム（３ＧＰＰ）によって規格化されている。ＬＴＥ−Ａｄｖａｎｃｅｄは、電力状態の間のより速い切り替えを目的とし、セル端での性能を改善し、帯域幅の拡張、よく調整された多重ポイント伝送／受信（ＣＯＭＰ）、アップリンク多重入力‐多重出力（ＭＩＭＯ）の４ｘ４までの拡張、ダウンリンクＭＩＭＯの４ｘ４までの拡張、中継などの対象を含む。
【０００４】
帯域幅の拡張のコンセプトに基づいて、より幅広い帯域幅への拡張に対してキャリア・アグリゲーションがＬＴＥ−Ａｄｖａｎｃｅｄに取り込まれ、２つ又はそれ以上のコンポーネント・キャリアが、例えば１００ＭＨｚまでの帯域幅をサポートするため及びスペクトル・アグリゲーションのために、アグリゲートされる。キャリア・アグリゲーション機能に従って、多重コンポーネントが、全体的により幅広い帯域幅にアグリゲートされ、ユーザー装置（ＵＥ）は、各コンポーネント・キャリアで同時に受信及び／又は伝送するために、その多重コンポーネント・キャリアに対応する多重リンクを設立することができる。
【０００５】
各コンポーネント・キャリアは、ハイブリッド自動反復リクエスト（ＨＡＲＱ）エンティティ及び輸送ブロックを含む。つまり、ＬＴＥ−Ａｄｖａｎｃｅｄにおける各コンポーネント・キャリアは、独立して機能する。
【０００６】
上記で述べたように、ＵＥは、多重コンポーネント・キャリアをＬＴＥ−Ａｄｖａｎｃｅｄにおけるデータを伝送及び／又は受信するために使用することができる。しかし、従来技術は、そのＵＥが多重コンポーネント・キャリアで多重リンクをどのようにして設立するかは、明確に教示しない。
【先行技術文献】
【非特許文献】
【０００７】
【非特許文献１】３ＧＰＰ  ＴＲ３６．８１４  Ｖ０．３．０２，“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  Ｘ）”，２００９／０１
【非特許文献２】３ＧＰＰ  ＴＳ３６．３００  Ｖ８．７．０，“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡ）；  Ｏｖｅｒａｌｌ  ｄｅｓｃｒｉｐｔｉｏｎ”，２００８／１２
【非特許文献３】３ＧＰＰ  ＴＳ３６．３２１  Ｖ８．４．０，“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ  ８）”，２００８／１２
【発明の概要】
【発明が解決しようとする課題】
【０００８】
本発明は、上記の点を考慮して、上記の問題を解決するために、無線通信システムにおいて多重コンポーネント・キャリアで多重リンクを設立する方法及び関連する通信装置を提供する。
【課題を解決するための手段】
【０００９】
それは、請求項１、８、１５、１６、２２及び２８に従って、無線通信システムのモバイル機器における多重コンポーネント・キャリアで多重リンクを設立する方法及び関連する通信装置によって達成される。従属項は、対応するさらなる発展及び改良型に関連する。
【００１０】
以下に続く詳細な記載からさらに明確に分かるように、多重コンポーネント・キャリアで多重リンクを設立するための当該方法は、第１無線リソース制御（ＲＲＣ）手順によって、第１コンポーネント・キャリアに対応する第１リンクを設立し、その第１リンクにおいて受信された第１ＲＲＣメッセージに従って、第２ＲＲＣ手順によって、少なくとも１つのコンポーネント・キャリアに対応する少なくとも１つのリンクを設立する段階を含む。
【００１１】
以下において、本発明は、例及び添付の図表を参照する方法でさらに説明される。
【図面の簡単な説明】
【００１２】
【図１】多重コンポーネント・キャリアを有する模範的な無線通信システムの概略図である。
【図２】１つの実施形態に従って、模範的な通信装置の概略図である。
【図３】第１実施形態に従って、模範的な通信装置のフローチャートである。
【図４】第２実施形態に従って、模範的な通信装置のフローチャートである。
【発明を実施するための形態】
【００１３】
ＵＥとセルＣ１‐Ｃｎとの間の接続の概略図を表わす図１を参照されたい。図１では、セルＣ１‐Ｃｎ及びＵＥは、リンクＬ１‐Ｌｍを通して通信し、それぞれはＬＴＥ無線アクセス技術（ＲＡＴ）又はＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ＲＡＴをサポートする。例えば、ＵＥは、リンクＬ１を通してセルＣ１と通信し、リンクＬ２‐Ｌ４を通してセルＣ２と通信する。通常は、ＵＥは、アップリンク同期化及び初期のセル・アクセスのためにランダム・アクセス手順を実施する。
【実施例１】
【００１４】
本発明の実施形態に従って、通信装置２０の概略図を表わす図２を参照されたい。通信装置２０は、図１において示されるＵＥであってもよく、プロセッサ２００、コンピュータ可読の記録媒体２１０、通信インターフェース・ユニット２２０、及び制御ユニット２３０を含む。コンピュータ可読の記録媒体２１０は、ストレージ・データ２１２を保存する如何なるデータ・ストレージ装置であってもよく、その後プロセッサ２００によって読み取られ処理されるプログラム・コード２１４を含む。そのコンピュータ可読の記録媒体２１０の例は、加入者識別モジュール（ＳＩＭ）、読み取り専用メモリー（ＲＯＭ）、ランダムアクセスメモリー（ＲＡＭ）、ＣＤ−ＲＯＭｓ、磁気テープ、ハードディスク、光学データ・ストレージ装置、及び搬送波（インターネットを通したデータ伝送など）を含む。制御ユニット２３０は、プロセッサ２００の処理結果に従って、通信インターフェース・ユニット２２０及び関連する通信装置２０の操作及び状態を制御する。通信インターフェース・ユニット２２０は、できれば、ネットワーク（すなわち、セルＣ１−Ｃｎ）と無線で通信するための無線トランシーバーであるのがよい。
【００１５】
プログラム・コード２１４は、コンポーネント・キャリアに対応するリンクＬ１−Ｌｍを設立できるＲＲＣ層のプログラム・コードを含む。ＲＲＣ層は、ＲＲＣ接続の設立、再設立、再設定又は他のＲＲＣ手順を実施するために使用され、データＲＢｓ（ＤＲＢｓ）及びシグナル伝達ＲＢｓ（ＳＲＢｓ）を含む無線ベアラー（ＲＢｓ）を発する又は放出する責任がある。ＳＲＢｓの使用を通して、ＲＲＣ層及びセルＣ１−Ｃｎは、無線リソース設定のためのＲＲＣメッセージを交換することができる。
【００１６】
本発明の実施形態に従って、プロセス３０のフローチャートを表わす図３を参照されたい。プロセス３０は、多重コンポーネント・キャリアに対応する多重リンクを設立するためにＵＥにおいて使用される。プロセス３０は、プログラム・コード２１４にコンパイルされることができ、以下のステップを含む：
ステップ３００：開始
ステップ３０２：第１ＲＲＣ手順によって第１コンポーネント・キャリアに対応する第１リンクを設立する
ステップ３０４：該第１リンクにおいて受信された第１ＲＲＣメッセージに従って、第２ＲＲＣ手順によって、少なくとも１つのコンポーネント・キャリアに対応する少なくとも１つのリンクを設立する
ステップ３０６：終了
プロセス３０に従って、ＵＥは、複数のコンポーネント・キャリアに対応する複数のリンクを設立するためにＲＲＣ手順を実施する。第１リンクは、例えば、初期の接続の設立／ハンドオーバーなどの目的で第１ＲＲＣ手順によって設立される。第１リンクが適切に設立された後に、第１リンクが接続されている第１セルは、更なるリンクの設立のために、第１ＲＲＣメッセージを設定し、ＵＥに送信する。その結果として、第１ＲＲＣメッセージに基づいて、ＵＥは、少なくとも１つのコンポーネント・キャリアに対応する少なくとも１つのリンクを設立するために、第２ＲＲＣ手順を実施する。その第２ＲＲＣ手順によって設立されたリンクは、例えば、帯域幅の拡張、ＲＢｓ設立、リンクの復旧などの他の目的に使用される。第１又は第２ＲＲＣ手順によって設立されたリンクは、異なるセルを接続するように設定されてもよい。
【００１７】
上記の第１ＲＲＣ手順は、ＲＲＣ接続設立手順、ハンドオーバー手順又はｉｎｔｅｒ−ＲＡＴ手順であってもよい。例えば、ＲＲＣ接続設立手順による第１リンクの設立が、第１セルへＲＲＣ接続リクエストメッセージを伝送するために、ＲＲＣ層によって開始される。次に、第１セルは、第１リンク設立を完了するために、ＲＲＣ接続設定メッセージをＵＥに返信し、ＲＲＣ接続設立手順は、無事に完了する。ＲＲＣ接続設立手順に加えて、ＵＥが、携帯通信システムのためのグローバル・システム（ＧＳＭ）、ＵＴＲＡＮ、又はＣＤＭＡ２０００などの他のＲＡＴからハンドオーバーする場合は、第１リンクは、ｉｎｔｅｒ−ＲＡＴ‐Ｅ−ＵＴＲＡＮ手順によって設立されてもよい。
【００１８】
さらに、上記で述べた第２ＲＲＣ手順は、第１セルから受信される第１メッセージによって開始されるＲＲＣ設定手順又はハンドオーバー手順であってもよい。第２ＲＲＣ手順がＲＲＣ接続再設定手順である場合、第１メッセージは、ＲＲＣ接続再設定（ＲＲＣ  ＣＯＮＮＥＣＴＩＯＮ  ＲＥＣＯＮＦＩＧＵＲＡＴＩＯＮ）のメッセージであり、ＲＲＣ接続再設定完了（ＲＲＣ  ＣＯＮＮＥＣＴＩＯＮ  ＲＥＣＯＮＦＩＧＵＲＡＴＩＯＮ  ＣＯＭＰＬＥＴＥ）のメッセージは、第２ＲＲＣ手順によって設立されるリンクの設立を完了させるために、ＵＥによって送信される。
【００１９】
プロセス３０に基づいて、ＵＥは、携帯発信／終端の電話又は携帯発信のシグナル伝達のためのコンポーネント・キャリアに対応する１つのリンクを、最初に設立することができる。さらなるリンクの設立を示す第１ＲＲＣメッセージが第１リンクにおいて受信された後に、ＵＥは、帯域幅の拡張のために少なくとも１つのコンポーネント・キャリアに対応する少なくとも１つのリンクを設立する。従って、多重コンポーネント・キャリアで多重リンクの明示的な設立が供給され、それによってデータ伝送の効率が増加する。
【００２０】
注目すべきは、第１コンポーネント・キャリアのコンポーネント・キャリア及び第２ＲＲＣ手順によって設立されたコンポーネント・キャリアは、対応するリンクが異なったセルに接続する場合、同じコンポーネント・キャリア周波数帯域を有してもよい。
【００２１】
さらに、ＵＥは、アップリンク同期化及び初期のセル・アクセスのためにランダム・アクセス手順を実施することができる。ＵＥは、以下の事例において、第２ＲＲＣ手順によって設立されたリンクに関連するセルで同期化するために、少なくとも１つのランダム・アクセス手順を実施する。
【００２２】
第１の事例では、ＵＥは、第２ＲＲＣ手順によって設立されたリンクが、第１セルとは異なるセルに接続されている場合に、ランダム・アクセス手順を実施する。ＵＥは、各セルへランダム・アクセス・プリアンブル（Ｒａｎｄｏｍ  Ａｃｃｅｓｓ  Ｐｒｅａｍｂｌｅ）を伝送し、各セルは、アップリンク同期化に対してはタイミング・アライメント情報を含むランダム・アクセス・レスポンス（Ｒａｎｄｏｍ  Ａｃｃｅｓｓ  Ｒｅｓｐｏｎｓｅ）と応答し、ＵＥ識別に対してはＴｅｍｐｏｒａｒｙ  Ｃ−ＲＮＴＩ（セル無線ネットワーク制御チャンネル）と応答する。
【００２３】
さらに、上記のＴｅｍｐｏｒａｒｙ  Ｃ−ＲＮＴＩは、ランダム・アクセス手順が完了したときに、Ｃ−ＲＮＴＩに進展する。つまり、ＵＥが、ランダム・アクセス手順が無事に実施されたことを検出した後に、第２ＲＲＣ手順又は第１ＲＲＣ手順によって設立されたリンクの各々は、ＰＤＣＣＨ（物理ダウンリンク制御チャンネル）受信のためのＣ−ＲＮＴＩで設定され、Ｃ−ＲＮＴＩは、第１及び第２ＲＲＣ手順において設立されたリンクの間で同一であるか、又は異なってもよい。代替として、Ｃ−ＲＮＴＩは、第２ＲＲＣ手順で設立されたリンクに対しては、第２ＲＲＣ手順によって設定されてもよい。
【００２４】
第２の事例では、ＵＥは、同期化が必要であることを示す第２ＲＲＣ手順のＲＲＣメッセージが受信された場合、ランダム・アクセス手順を実施する。つまり、第２ＲＲＣ手順によって設立されたリンクに関連するセルは、ＵＥがアップリンク同期化のためにランダム・アクセス手順が必要であるか否かを判断し、必要である場合、ＵＥにランダム・アクセス手順を実施するように指示するためにＲＲＣメッセージを送信する。
【００２５】
第３の事例では、ＵＥは、アップリンク・タイミング情報を除いた、第２ＲＲＣ手順のＲＲＣメッセージが受信されたときに、ランダム・アクセス手順を実施する。つまり、ＵＥが第２ＲＲＣ手順のＲＲＣメッセージからアップリンク・タイミング情報を導き出していないか又は導き出せない場合、ＵＥはアップリンク同期化のためにランダム・アクセス手順を実施する。
【００２６】
さらに、ランダム・アクセス手順は、ＵＥによって使用されるランダム・アクセス・チャンネル（ＲＡＣＨ）リソースがセルによって割り当てられるか又はランダムにＵＥ自体によって選択されるかに依存し、競合型又は非競合型の方法で実施され得る。競合型ランダム・アクセス手順では、ＵＥは、第２ＲＲＣ手順の具体的なＲＲＣメッセージの中で割り当てられた物理ランダム・アクセス・リソース設定に基づいて、ランダム・アクセス手順（第１の事例に記載されたように）を実施する。ＲＲＣメッセージの中の割り当てに加えて、物理ランダム・アクセス・リソース設定は、ＲＲＣブロードキャスト・メッセージの中で割り当てられてもよい。
【００２７】
非競合に基づくランダム・アクセス手順では、ＵＥは、第１ＲＲＣメッセージの中で割り当てられた専用のランダム・アクセス・リソース設定に基づいて第２ＲＲＣ手順によって設立されたリンクの同期化のために、ランダム・アクセス手順を実施する。
【００２８】
上記の専用ランダム・アクセス・リソース設定は、第２ＲＲＣ手順によって設立されたリンクに関連するセルによって設定される専用プリアンブルを含む。セルによって割り当てられる専用プリアンブルに従って、ＵＥは、非競合に基づいた方法でランダム・アクセス手順を実施し、それは、競合解決を防止することができ、従って、ランダム・アクセス手順の完了効率を上げる。
【００２９】
専用プリアンブルに加えて、専用ランダム・アクセス・リソース設定は、同期化のためにランダム・アクセス・プリアンブルが伝送され得るサブフレームを示すために、ＰＲＡＣＨ（物理ランダム・アクセス・チャンネル）マスク・インデックスを含み得る。例えば、ＰＲＡＣＨマスク・インデックスは、ＵＥがランダム・アクセス・プリアンブルを送信するために、奇数のサブフレーム又は偶数のサブフレームを示す。従って、他のランダム・アクセス・プリアンブルとの衝突の可能性は低減できることから、そのランダム・アクセス手順の成功率は増加する。
【実施例２】
【００３０】
本発明の第２実施形態に従って、プロセス４０のフローチャートを表わす図４を参照されたい。プロセス４０は、ＵＥにおいて多重コンポーネント・キャリアに対応する多重リンクを設立するために使用されている。プロセス４０は、プログラム・コード２１４にコンパイルでき、以下のステップを含む：
ステップ４００：開始。
ステップ４０２：ＲＲＣ手順による複数のコンポーネントに対応する複数のリンクの設立。
ステップ４０４：終了。
【００３１】
プロセス４０に従って、ＵＥは、単一のＲＲＣ手順を実施し、例えば、初期の接続の設立／ハンドオーバー及び帯域幅の拡張の両方のために、プロセス３０において述べられた可能な全ての目的により、複数のコンポーネント・キャリアに対応する複数のリンクを設立する。望ましくは、そのＲＲＣ手順は、ＲＲＣ接続設立方法、ハンドオーバー手順又はｉｎｔｅｒ−ＲＡＴ‐Ｅ−ＵＴＲＡＮ手順であるのがよい。
【００３２】
複数のコンポーネント・キャリアのいくつかは、対応するリンクが異なるセルに接続する場合、同じコンポーネント・キャリア周波数帯域を有し得る。
【００３３】
さらに、複数のコンポーネント・キャリアに対応する複数のリンクを設立する場合、ＵＥは、少なくとも１つのリンクの同期化のためにランダム・アクセス手順を実施する。上記のように、ＵＥは、同期化が必要であることを示すＲＲＣ手順のＲＲＣメッセージが受信されるとき、又はアップリンク情報を除いた、ＲＲＣ手順のＲＲＣメッセージが受信されるとき、ランダム・アクセスを実施することができる。
【００３４】
その上、ＵＥは、物理ランダム・アクセス・リソース設定又はＲＲＣ手順のＲＲＣメッセージの中で割り当てられた専用のランダム・アクセス・リソース設定に基づいて実施する。ランダム・アクセス手順に関する詳細な記載は、上記の記載で参照することができる。従って、関連する詳細な記載は簡潔化のためここでは割愛されている。
【００３５】
さらに、ＵＥが、ランダム・アクセス手順が無事に実施されたことを検出した後に、ＲＲＣ手順によって設立されたリンクの各々は、ＰＤＣＣＨ（物理ダウンリンク制御チャンネル）受信のためにＣ−ＲＮＴＩ（セル・ネットワーク・テンポラリー識別子）で設定され、Ｃ−ＲＮＴＩは、ＲＲＣ手順で設立されたリンクの間で同一であるか、又は異なってもよい。代替として、Ｃ−ＲＮＴＩは、ＲＲＣ手順で設立されたリンクに対してＲＲＣ手順によって設定される。
【００３６】
プロセス４０に基づいて、ＵＥは、接続の設立、帯域幅の拡張などのための単一のＲＲＣ手順によって、複数のコンポーネント・キャリアに対応する複数のリンクを設立する。
【００３７】
結論として、本発明の実施形態は、ＵＥが多重コンポーネント・キャリアで多重リンクを設立するための明示的且つ適切な方法を提供する。
【符号の説明】
【００３８】
Ｃｅｌｌ・・・セル
ＵＥ・・・ユーザー装置
Ｃ１・・・セル１
Ｃ２・・・セル２
Ｃ３・・・セル３
Ｃ４・・・セル４
Ｃｎ・・・セルｎ
Ｌ１・・・リンク１
Ｌ２・・・リンク２
Ｌ３・・・リンク３
Ｌ４・・・リンク４
Ｌ５・・・リンク５
Ｌｍ・・・リンクＬｍ
２０・・・通信装置
２００・・・プロセッサ
２１０・・・コンピュータ可読の記録媒体
２１２・・・ストレージ・データ
２１４・・・プログラム・コード
２２０・・・通信インターフェース・ユニット
２３０・・・制御ユニット
３０・・・プロセス
３００・・・ステップ
３０２・・・ステップ
３０４・・・ステップ
３０６・・・ステップ
４０・・・プロセス
４００・・・ステップ
４０２・・・ステップ
４０４・・・ステップ
【図１】
2010220214.tif 000003
【図２】
2010220214.tif 000004
【図３】
2010220214.tif 000005
【図４】
2010220214.tif 000006